(57)【要約】【課題】本発明の課題は、油性ボールペン用インキ組成物において、高筆圧下（筆記荷重５００ｇｆ）においても潤滑性を保ち、ボール座の摩耗を抑制し、且つインキ経時安定性が良好な油性ボールペン用インキ組成物を提供することである。【解決手段】本発明は、少なくとも着色剤、有機溶剤、樹脂、ポリエチレングリコール、界面活性剤を含有する油性ボールペン用インキ組成物であって、前記ポリエチレングリコールとして特定のポリエチレングリコールを含有することを特徴とする油性ボールペン用インキ組成物を用いる。【選択図】        なし【特許請求の範囲】
【請求項１】
少なくとも着色剤、有機溶剤、樹脂、ポリエチレングリコール、界面活性剤を含有する油性ボールペン用インキ組成物であって、前記ポリエチレングリコールの平均分子量が、８００以上であることを特徴とする油性ボールペン用インキ組成物。
【請求項２】
前記界面活性剤が、リン酸エステル系界面活性剤であり、該リン酸エステル系界面活性剤の含有量が、インキ組成物全質量に対して０．１〜５．０質量％であることを特徴とする請求項１に記載した油性ボールペン用インキ組成物。
【請求項３】
前記リン酸エステル系界面活性剤が、アルコール系のリン酸エステル系界面活性剤を少なくとも含むことを特徴とする請求項２に記載した油性ボールペン用インキ組成物。
【請求項４】
前記リン酸エステル系界面活性剤が、ラウリルアルコール系、トリデシルアルコール系、短鎖アルコール系のリン酸エステル系界面活性剤を少なくとも含むことを特徴とする請求項３に記載した油性ボールペン用インキ組成物。
【請求項５】
前記ポリエチレングリコールの水酸基価が、３０〜１２０の範囲であることを特徴とする請求項１ないし４のいずれか１項に記載した油性ボールペン用インキ組成物。
【請求項６】
前記樹脂が、少なくともポリビニルピロリドンを含有することを特徴とする請求項１ないし５のいずれか１項に記載した油性ボールペン用インキ組成物。
【請求項７】
２０℃、剪断速度６．８ｓｅｃ−１におけるインキ粘度が、１００〜５０００ｍＰａ・ｓであることを特徴とする請求項１ないし６のいずれか１項に記載の油性ボールペン用インキ組成物。
【発明の詳細な説明】
【技術分野】
【０００１】
本発明は油性ボールペン用インキ組成物に関し、さらに詳細としてはインキ組成物中に、特定の平均分子量のポリエチレングリコールと界面活性剤を併用した油性ボールペン用インキ組成物に関するものである。
【背景技術】
【０００２】
従来より、油性ボールペン用インキ組成物において、なめらかな運筆感を得る目的や潤滑性能に優れた滑らかな軽い書き味を得る目的で、様々な添加剤を用いた油性ボールペン用インキ組成物が多数提案されている。
【０００３】
このような油性ボールペン用インキ組成物としては、ポリエチレングリコールを用いたものとしては、特開平７−１９６９７１号公報「油性ボールペン用インキ組成物」、フッ素系界面活性剤を用いたものとしては、特開平９−１５１３５４号公報「油性ボールペン用インキ組成物」が開示されている。
【特許文献１】「特開平７−１９６９７１号公報」
【特許文献２】「特開平９−１５１３５４号公報」
【発明の開示】
【発明が解決しようとする課題】
【０００４】
しかしながら、特許文献１に記載のように、ポリエチレングリコールだけでは、界面活性剤に比べて潤滑性が悪く、書き味が重くなる問題を抱えていた。また、ポリエチレングリコールを含有することで、筆記荷重１００ｇｆ程度であれば、ボール座の摩耗を抑制することはできるが、高筆圧下、例えば筆記荷重５００ｇｆにおいては、ボール座の摩耗を抑制することは困難であった。
【０００５】
また、特許文献２では、フッ素系の界面活性剤を用いているが、高筆圧下において潤滑性が悪く、ボール座の摩耗が抑制できず、筆記不良の原因を起こす問題を抱えていた。
【０００６】
本発明の目的は、高筆圧下（筆記荷重５００ｇｆ）においても潤滑性を保ち、ボール座の摩耗を抑制し、且つインキ経時安定性が良好なボールペン用インキ組成物を提供することである。
【課題を解決するための手段】
【０００７】
本発明は、上記課題を解決するために、
「１．少なくとも着色剤、有機溶剤、樹脂、ポリエチレングリコール、界面活性剤を含有する油性ボールペン用インキ組成物であって、前記ポリエチレングリコールの平均分子量が、８００以上であることを特徴とする油性ボールペン用インキ組成物。
２．前記界面活性剤が、リン酸エステル系界面活性剤であり、該リン酸エステル系界面活性剤の含有量が、インキ組成物全質量に対して０．１〜５．０質量％であることを特徴とする第１項に記載した油性ボールペン用インキ組成物。
３．前記リン酸エステル系界面活性剤が、アルコール系のリン酸エステル系界面活性剤を少なくとも含むことを特徴とする第２項に記載した油性ボールペン用インキ組成物。
４．前記リン酸エステル系界面活性剤が、ラウリルアルコール系、トリデシルアルコール系、短鎖アルコール系のリン酸エステル系界面活性剤を少なくとも含むことを特徴とする第３項に記載した油性ボールペン用インキ組成物。
５．前記ポリエチレングリコールの水酸基価が、３０〜１２０の範囲であることを特徴とする第１項ないし第４項のいずれか１項に記載した油性ボールペン用インキ組成物。
６．前記樹脂が、少なくともポリビニルピロリドンを含有することを特徴とする第１項ないし第５項のいずれか１項に記載した油性ボールペン用インキ組成物。
７．２０℃、剪断速度６．８ｓｅｃ−１におけるインキ粘度が、１００〜５０００ｍＰａ・ｓであることを特徴とする第１項ないし第６項のいずれか１項に記載の油性ボールペン用インキ組成物。」である。
【発明の効果】
【０００８】
本発明は、少なくとも着色剤、有機溶剤、樹脂、平均分子量８００以上のポリエチレングリコール、界面活性剤を含有することで、高筆圧下（筆記荷重５００ｇｆ）においても潤滑性を保ち、ボール座の摩耗を抑制し、且つインキ経時安定性が良好な油性ボールペン用インキ組成物を提供することができた。
【発明を実施するための最良の形態】
【０００９】
本発明の特徴は、油性ボールペン用インキ組成物において、平均分子量８００以上のポリエチレングリコールと界面活性剤を併用することである。
【００１０】
本発明で用いるポリエチレングリコールは、エチレングリコールが重合した構造をもつ高分子化合物であり、ＨＯ（ＣＨ２ＣＨ２Ｏ）ｎＨの一般式で表され、油性インキ中に含有することで、厚い膜を形成する。この厚い膜は、弾性要素の１つと考えられるため、厚い膜によって、弾性力も向上することが可能である。そのため、油性インキ中で、形成された厚い膜によって、ボールとボール座の間の金属接触を抑制することで、ボール座の摩耗を抑制することができる。
【００１１】
また、ポリエチレングリコールの平均分子量については、平均分子量８００未満であると、平均分子量が低いため、ポリエチレングリコールの直鎖が短くなるため、ボールとボール座の間の金属接触を抑制するのに充分な膜が得られない。特に高筆圧下（筆記荷重５００ｇｆ）においては、一般的にボール座の摩耗が著しいため、平均分子量８００以上のポリエチレングリコールが必要不可欠である。また、ポリエチレングリコールの平均分子量が２５０００を超えると、溶解性がやや劣る傾向があるので、平均分子量８００〜２５０００の範囲がより好ましく、最も好ましくは、平均分子量８００〜９０００である。具体的には、平均分子量８００〜２５０００の範囲のポリエチレングリコールは、ＰＥＧ１０００、ＰＥＧ１５４０、ＰＥＧ２０００、ＰＥＧ４０００、ＰＥＧ６０００、ＰＥＧ１００００、ＰＥＧ２００００（第一工業製薬（株））等が挙げられ、平均分子量８００〜９０００の範囲のポリエチレングリコールは、ＰＥＧ１０００、ＰＥＧ１５４０、ＰＥＧ２０００、ＰＥＧ４０００、ＰＥＧ６０００等である。
【００１２】
さらに、ポリエチレングリコールは、油性インキに含有することで、インキ中の水分を溶解安定させる効果がある。従来より、油性インキは、経時的に水分吸収することで、インキ経時劣化が起こり易いため、本発明においてポリエチレングリコールは、より効果的に用いることができる。特に、水酸基価が３０以上であると、水分の溶解性が優れるためより好ましい。また、水酸基価が多ければ、多いほど、水吸収作用が優れるが、水酸基価が１２０を超えると、必要以上に水を吸収し過ぎてしまい、インキ経時が不安定になる傾向があるため、水酸基価が１２０以下である方が、より好ましい。そのため、インキ経時安定性を考慮すれば、ポリエチレングリコールの水酸基価は、３０〜１２０の範囲が好ましく、最も好ましくは、水酸基価が７０〜１２０の範囲である。特に、油性ボールペンのインキ粘度を調整するために、水を含有する油性インキについては、より好適に用いることができる。具体的には、水酸基価の７０〜１２０範囲のポリエチレングリコールは、ＰＥＧ１０００、ＰＥＧ１５４０（第一工業製薬（株））等が挙げられる。なお水酸基価は、ピリジン無水フタール酸法より算出した。
【００１３】
ポリエチレングリコールの含有量は、インキ組成物全量に対し、０．１質量％より少ないと、ボールとチップ本体の間の金属接触を抑制効果が得られにくく、筆記不良が発生するおそれがあり、１５．０質量％を越えると、着色剤の安定性が悪くなるおそれがあるため、インキ組成物全量に対し、０．1〜１５．０質量％とする方が、好ましい。さらに、より良好なインキ経時安定性を得るためには、インキ組成物全量に対し、３．０〜１０．０質量％が最も好ましい。
【００１４】
ところで、平均分子量８００以上のポリエチレングリコールは、ボールとチップ本体の間の金属接触を抑制する効果がある反面、ポリエチレングリコール単独では、潤滑性が充分に得られないため、書き味が劣り、高筆圧下（筆記荷重５００ｇｆ）においては、摩耗を抑制することが困難であった。
【００１５】
本発明者等は、鋭意研究した結果、界面活性剤を併用することで、ポリエチレングリコール単独では得られなかった潤滑性を得て、書き味が良好になり、高筆圧下（筆記荷重５００ｇｆ）における摩耗も抑制することを見出した。
【００１６】
本発明に用いる界面活性剤としては、リン酸エステル系界面活性剤、シリコン系界面活性剤、フッ素系界面活性剤、アセチレングリコール系界面活性剤などの界面活性剤が挙げられる。これらの界面活性剤は、ボールとチップ本体との潤滑性を高め、滑らかな筆感を得ることができるため、書き味を向上するために用いる。その中でも、リン酸基を有するものは、金属類に対して吸着力があるため、ボールやチップ本体などに対して吸着するため、他の種類の界面活性剤よりも、潤滑性があり、特に高筆圧下（筆記荷重５００ｇｆ）においてはより効果的であるため、リン酸エステル系界面活性剤を用いる方が、より好ましい。
【００１７】
リン酸エステル系界面活性剤には、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、リン酸トリエステル、或いはその誘導体等があるが、これらのリン酸エステル系界面活性剤は、単独又は２種以上混合して使用してもよい。その中でもインキ経時安定性を考慮すれば、（化１）のような一般式で表されるポリオキシエチレンアルキルエーテル又はポリオキシエチレンアルキルアリールエーテルのリン酸モノエステル、リン酸ジエステルを用いることが好ましい。
【化１】
2009108120.tif 000002
［式中、Ｒはアルキル又はアルキルアリル基を、nはエチレンオキサイド付加モル数を、Ｒ’はＨまたはＲＯ（ＣＨ２ＣＨ２Ｏ）ｎ基を示す。］
【００１８】
（化１）のようなリン酸エステル系界面活性剤の種類としては、スチレン化フェノール系、ノニルフェノール系、ラウリルアルコール系、トリデシルアルコール系、オクチルフェノール系、短鎖アルコール系等が上げられる。さらに、この中でも、スチレン化フェノール系、ノニルフェノール系、オクチルフェノール系等のフェニル骨格（Ｃ６Ｈ５-、Ｃ６Ｈ４-、Ｃ６Ｈ３-等）を有するリン酸エステル系界面活性剤は、フェニル骨格が立体構造を形成しているため、他の系と比べて、立体障害を起こす効果があり、潤滑性については、やや劣り、書き味の向上が小さいため、アルコール系のリン酸エステル系界面活性剤が好ましく、ラウリルアルコール系、トリデシルアルコール系、短鎖アルコール系を用いることが最も好ましい。
【００１９】
このようなリン酸エステル系界面活性剤の具体例としては、プライサーフシリーズ（第一工業製薬（株））の中から、プライサーフＡ２０８Ｂ（ラウリルアルコール系）、同Ａ２１９Ｂ（ラウリルアルコール系）、同Ａ２１３Ｂ（ラウリルアルコール系）、同Ａ２１０Ｂ（ラウリルアルコール系）、同Ａ２１５Ｃ（トリデシルアルコール系）、同Ａ２１２Ｃ（トリデシルアルコール系）、同Ａ２０８Ｆ（短鎖アルコール系）等が挙げられる。なお、短鎖アルコールとは、炭素数１〜４のアルコールとする。これらの界面活性剤は単独又は２種以上混合して使用してもよい。
【００２０】
また、リン酸エステル系界面活性剤の含有量は、インキ組成物全量に対し、０．１質量％より少ないと、インキ中で所望の潤滑性が得られないおそれがあり、５．０質量％を越えると、インキ経時が不安定性になるおそれがあるため、インキ組成物全量に対し、０．１〜５．０質量％が好ましい。最も好ましくは、インキ組成物全量に対し、０．５〜３．０質量％である。
【００２１】
上述のように、平均分子量８００以上のポリエチレングリコールと界面活性剤を併用することで、高筆圧下（筆記荷重５００ｇｆ）においても潤滑性を保ち、ボール座の摩耗を抑制し、且つ良好なインキ経時安定性が得られる。特に、２０℃、剪断速度６．８ｓｅｃ−１におけるインキ粘度が、５０００ｍＰａ・ｓ以下のような低粘度油性インキにおいては、ボール座に負荷が掛かり易いため、より効果的である。
【００２２】
本発明に用いる樹脂については、フェノール樹脂、マレイン樹脂、アミド樹脂、キシレン樹脂、ロジン樹脂やその水添化合物、尿素樹脂、ケトン樹脂、テルペン樹脂、アルキッド樹脂、キシレン樹脂、フェノキシ樹脂、ポリビニルブチラ−ル樹脂、ポリ酢酸ビニル、ポリビニルピロリドン、ポリエチレンオキサイド、架橋型アクリル酸重合体等が挙げられる。これらは単独又は２種以上混合して使用してもよい。樹脂の含有量は、インキ組成物全量に対して、０．１質量％未満だと、所望のインキ粘度が得られにくく、３０．０質量％を越えると書き出し性能が劣ってしまう可能性があるため、０．１〜３０．０質量％が好ましい。
【００２３】
その中でも、ポリビニルピロリドンは、平均分子量が１０万以上であり、平均分子量が非常に大きいため、直鎖が長いので、ボールとボール座の間をポリビニルピロリドンの皮膜で覆うことが可能であるため、弾性要素の１つである厚い膜を形成する。前記ポリエチレングリコールと併用することで、より厚い膜を形成するため、より弾性力が生じ、ボールとボール座の間の金属接触を抑制する効果が得られ易いと考えられる。また、ポリビニルピロリドンは、インキ組成物に曵糸性を付与し、泣きボテを防止する効果もある。そのため、樹脂として、少なくともポリビニルピロリドンを用いる方が、より好ましい。
【００２４】
本発明に用いるポリビニルピロリドンとしては、具体的には、アイエスピー・ジャパン（株）製の商品名；ＰＶＰ  Ｋ−１５、ＰＶＰ  Ｋ−３０、ＰＶＰ  Ｋ−９０、ＰＶＰ  Ｋ−１２０等が挙げられる。これらは、単独又は２種以上混合して使用してもよい。
【００２５】
本発明の油性インキ組成物のインキ粘度は、特に限定されるものではないが、２０℃、剪断速度６．８ｓｅｃ−１におけるインキ粘度が１００ｍＰａ・ｓ未満の場合には、インキ粘度が低過ぎて、前記ポリエチレングリコールによるボールとボール座の間の金属接触を抑制する効果が低くなる傾向があり、また、２０℃、剪断速度６．８ｓｅｃ−１におけるインキ粘度が５，０００ｍＰａ・ｓを超えると、筆記時のボール回転抵抗が大きくなり、書き味が重くなる傾向がある。そのため、２０℃、剪断速度６．８ｓｅｃ−１におけるインキ粘度は、１００〜５，０００ｍＰａ・ｓが好ましい。より好ましくは、５００〜３，０００ｍＰａ・ｓが好ましい。
【００２６】
本発明に用いる着色剤については、染料、顔料があるが、染料については、油溶性染料、酸性染料、塩基性染料、含金染料などや、それらの各種造塩タイプの染料等が採用可能である。
【００２７】
染料について、具体的には、バリファーストブラック１８０２、バリファーストブラック１８０５、バリファーストブラック１８０７、バリファーストバイオレット１７０１、バリファーストブルー１６０１、バリファーストブルー１６０５、バリファーストブルー１６２１、バリファーストレッド１３２０、バリファーストレッド１３５５、バリファーストレッド１３６０、バリファーストイエロー１１０１、バリファーストイエロー１１５１、ニグロシンベースＥＸＢＰ、ニグロシンベースＥＸ、ＢＡＳＥ  ＯＦ  ＢＡＳＩＣ  ＤＹＥＳ  ＲＯＢ−Ｂ、ＢＡＳＥ  ＯＦ  ＢＡＳＩＣ  ＤＹＥＳ  ＲＯ６Ｇ−Ｂ、ＢＡＳＥ  ＯＦ  ＢＡＳＩＣ  ＤＹＥＳ  ＶＰＢ−Ｂ、ＢＡＳＥ  ＯＦ  ＢＡＳＩＣ  ＤＹＥＳ  ＶＢ−Ｂ、ＢＡＳＥＯＦ  ＢＡＳＩＣ  ＤＹＥＳ  ＭＶＢ−３（以上、オリエント化学工業（株）製）、アイゼンスピロンブラック  ＧＭＨ−スペシャル、アイゼンスピロンバイオレット  Ｃ−ＲＨ、アイゼンスピロンブルー  ＧＮＨ、アイゼンスピロンブルー  ２ＢＮＨ、アイゼンスピロンブルー  Ｃ−ＲＨ、アイゼンスピロンレッド  Ｃ−ＧＨ、アイゼンスピロンレッド  Ｃ−ＢＨ、アイゼンスピロンイエロー  Ｃ−ＧＮＨ、アイゼンスピロンイエロー  Ｃ−２ＧＨ、Ｓ．Ｐ．Ｔ．ブルー１１１、Ｓ．Ｐ．Ｔ．ブルーＧＬＳＨ−スペシヤル、Ｓ．Ｐ．Ｔ．レッド５３３、Ｓ．Ｐ．Ｔ．オレンジ６、Ｓ．Ｂ．Ｎ．バイオレット５１０、Ｓ．Ｂ．Ｎ．イエロー５１０、Ｓ．Ｂ．Ｎ．イエロー５３０、Ｓ．Ｒ．Ｃ−ＢＨ（以上、保土谷化学工業（株）製）等が挙げられる。
【００２８】
また、顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、キノフタロン系、スレン系、トリフェニルメタン系、ペリノン系、ペリレン系、ギオキサジン系、メタリック顔料、パール顔料、蛍光顔料、蓄光顔料等が挙げられる。これらの染料および顔料は、単独又は２種以上組み合わせて使用してもかまわない。着色剤の含有量は、インキ組成物全量に対し、１．０〜５０．０質量％が好ましい。
【００２９】
本発明に用いる有機溶剤としてはエチレングリコールモノメチルエーテル、エチレングリコールモノエチルエーテル、エチレングリコールモノブチルエーテル、エチレングリコールジメチルエーテル、エチレングリコールモノフェニルエーテル、プロピレングリコールモノメチルエーテル、プロピレングリコールモノエチルエーテル、ジエチレングリコールジメチルエーテル、３―メトキシブタノール、３―メトキシー３―メチルブタノール等のグリコールエーテル類、ジエチレングリコール、トリエチレングリコール、ポリエチレングリコール、プロピレングリコール、ジプロピレングリコール、ブチレングリコール、エチレングリコール等のグリコール類、ベンジルアルコール、メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコール等のアルコール類、フェニルセロソルブ等のセロソルブ類等、油性ボールペン用インキとして一般的に用いられる有機溶剤が例示でき、これらを１種又は２種以上用いることができる。有機溶剤の含有量は、着色剤の溶解性、筆跡乾燥性、にじみ等を考慮すると、インキ組成物全量に対し、５．０〜５０．０質量％が好ましい。
【００３０】
また、その他として、着色剤の経時安定性や潤滑性を向上させるために、有機酸として、オレイン酸、ステアリン酸、リシノール酸、ラウリル酸等を、油性インキ組成物を中和する目的で、有機アミンとして、アルキルアミン、ポリオキシエチレンアルキルアミン、オキシエチレンアルキルアミン、アルカノールアミン等を、粘度調整剤として水、有機酸アマイド等を、また、染料安定剤、可塑剤等を用いても良い。これらは、単独又は２種以上組み合わせて使用してもかまわない。
【００３１】
次に実施例を示して本発明を説明する。
実施例１の油性ボールペン用インキ組成物は、着色剤として、染料（スピロンブラック−ＧＭＨ−Ｓ：保土谷化学工業株式会社製、バリーファ−ストバイオレット１７０１：オリエント化学工業株式会社製）、有機溶剤として、ベンジルアルコール、エチレングリコールモノフェニルエーテル、潤滑剤としてリン酸エステル系界面活性剤（プライサーフＡ２１０Ｂ：第一工業製薬株式会社製）、有機酸としてオレイン酸、アミンとして有機アミン、樹脂としてポリビニルピロリドン（ＰＶＰ  Ｋ−９０：アイエスピー・ジャパン株式会社製）、ケトン樹脂（ハイラック１１０Ｈ：日立化成株式会社製）、ポリエチレングリコール（ＰＥＧ  １５４０：第一工業製薬株式会社製）を採用し、これを所定量秤量して、６０℃に加温した後、ディスパー攪拌機を用いて完全溶解させ、油性ボールペン用インキ組成物を得た。具体的な配合量は下記の通りである。尚、ブルックフィールド社製ＤＶ−ＩＩ粘度計（Ｎｏ２７ローター）を用いて２０℃の環境下で、剪断速度６．８ｓｅｃ−１（回転数２０ｒｐｍ）にてインキ粘度を測定したところ、１８００ｍＰａ・ｓであった。
【００３２】
実施例１
染料（スピロンブラック−ＧＭＨ−Ｓ）                    ２０．０質量％
染料（バリーファ−ストバイオレット１７０１）          １８．０質量％
有機溶剤（ベンジルアルコール）                          ２０．５質量％
有機溶剤（エチレングリコールモノフェニルエーテル）      ３０．０質量％
潤滑剤（リン酸エステル系界面活性剤）                 ２．０質量％
有機酸（オレイン酸）                                   ２．０質量％
アミン（有機アミン）                 ２．０質量％
ポリエチレングリコール（ＰＥＧ  １５４０）              ３．０質量％
樹脂（ポリビニルピロリドン）                     ０．５質量％
樹脂（ケトン樹脂）                                 ２．０質量％
【００３３】
実施例２〜１１
表１、２に示すように各成分を表１、２に示す配合に変更した以外は、実施例１と同様な手順で実施例２〜１１の油性ボールペン用インキ組成物を得た。表１、２に測定、評価結果を示す。
【表１】
2009108120.tif 000003
【表２】
2009108120.tif 000004
【００３４】
比較例１〜６
インキの配合を表３に示す通りとし、実施例１と同様の手順で、配合し、比較例１〜６の油性ボールペン用インキ組成物を得た。表３に測定、評価結果を示す。
【表３】
2009108120.tif 000005
【００３５】
試験及び評価
実施例１〜１１及び比較例１〜６で作製した油性ボールペン用インキ組成物を、インキ収容筒（ポリプロピレン）に、ボール径がφ０．７ｍｍボールを回転自在に抱持したボールペンチップ（ステンレス綱線）を装着したボールペン用レフィルに充填し、筆記試験用紙としてコピー用紙（ＰＰＣ用紙）を用いて以下の試験及び評価を行った。
【００３６】
高筆圧筆記試験：荷重５００ｇｆ、筆記角度７０°、４ｍ／ｍｉｎの走行試験機にて筆記試験後のボール座の摩耗を測定した。
ボール座の摩耗が１０μｍ未満のもの                                      ・・・◎
ボール座の摩耗が１０μｍ以上、２０μｍ未満であるが、筆記可能であるもの  ・・・○
ボール座の摩耗がひどく、筆記不良になってしまうのもの                   ・・・×
【００３７】
書き味：手書きによる官能試験を行い評価した。
滑らかで良好なもの      ・・・◎
やや劣るもの            ・・・○
重く劣るもの            ・・・×
【００３８】
インキ経時試験：室温６ヶ月放置後に、レフィルのインキ収容筒内のインキ状態を顕微鏡観察した。
析出物が存在しないもの                        ・・・◎
析出物が存在するが、実用上問題ないもの        ・・・○
析出物が発生し、実用性に乏しいもの            ・・・×
【００３９】
実施例１〜１１では、高筆圧筆記試験、書き味、インキ経時試験ともに良好な性能が得られた。
【００４０】
比較例１、２では、ポリエチレングリコールを含有していないため、比較例３、４では、平均分子量８００未満のポリエチレングリコールを含有したため、高筆圧筆記試験において、ボール座の摩耗がひどく、筆記不良になってしまった。
【００４１】
比較例５、６では、界面活性剤を含有しなかったため、書き味が重く劣り、筆跡にカスレがひどかった。
【産業上の利用可能性】
【００４２】
本発明は油性ボールペン用インキ組成物に関し、さらに詳細としては、少なくとも着色剤、有機溶剤、樹脂、ポリエチレングリコール、界面活性剤を含有する油性ボールペン用インキ組成物であって、前記ポリエチレングリコールの平均分子量が、８００以上であることを特徴とする油性ボールペン用インキ組成物を用いることで、高筆圧下（筆記荷重５００ｇｆ）においても潤滑性を保ち、ボール座の摩耗を抑制し、且つインキ経時安定性が良好な油性ボールペン用インキ組成物を提供することができる。そのため、キャップ式、ノック式等、ボールペンとして広く利用することができる。